(57)【要約】【課題】新聞紙や雑誌等の古紙その他の被結束物を重ねて結束する作業を煩雑でなく、極めて容易とすることを目的とする。【解決手段】平面四角形状の台部の上面を台部の対向する側辺の中心を結ぶ二本の線により四区画に区分し、該二本の線の交点を中心として対向する方形の二区画内に、上端部が凸状の曲面に形成された支持突起を少なくとも台部の角隅部に１本づつ植立させ、該二区画の外周端から横断面Ｌ字状の側壁を植立させ、他の二区画内の四隅部に夫々支持突起を４本づつ植立させたことを特徴とする収納容器。【選択図】  図１
2006306481.tif 000002
【特許請求の範囲】
【請求項１】
台部に少なくとも上端部が凸状の曲面に形成された支持突起を複数植立させたことを特徴とする結束補助台。
【請求項２】
平面四角形状の台部の上面の少なくとも四隅部に前記支持突起を植立させたことを特徴とする請求項１記載の結束補助台。
【請求項３】
平面四角形状の台部の上面の対角線上の二隅部に前記支持突起を植立させ、他の二隅部には夫々前記支持突起、上面平面状の支持突起又は支持台のうちいずれかを設けることを特徴とする請求項１記載の結束補助台。
【請求項４】
平面四角形状の台部の上面を台部の対向する側辺の中心を結ぶ二本の線により四区画に区分し、該二本の線の交点を中心として対向する方形の二区画内に、前記支持突起を少なくとも台部の角隅部に１本づつ植立させ、他の二区画内の四隅部に夫々支持突起を４本づつ植立させたことを特徴とする請求項２記載の結束補助台。
【請求項５】
平面四角形状の台部の上面を台部の対向する側辺の中心を結ぶ二本の線により四区画に区分し、該二本の線の交点を中心として対向する方形の二区画内に、前記支持突起を少なくとも台部の角隅部に１本づつ植立させ、他の二区画内に夫々前記支持突起と同一高の支持台又は上面平面状の支持突起を設けたことを特徴とする請求項１記載の結束補助台。
【請求項６】
支持突起は人の手の甲の厚み以上の高さとしたことを特徴とする請求項１から５のうち何れか１項記載の結束補助台。
【請求項７】
台部には台部の対向する一対の側辺の中心を結ぶ溝を設けたことを特徴とする請求項１から６のうち何れか１項記載の結束補助台。
【請求項８】
請求項１から７のうちいずれかに記載の結束補助台の前記二本の線の交点を中心として対向する方形の二区画の外周端から横断面Ｌ字状の側壁を植立させて構成したことを特徴とする収納容器。
【請求項９】
請求項１から７のうちいずれかに記載の結束補助台の外周端から一対の横断面Ｌ字状の側壁を植立させ、側壁の側片の下端部に切欠部を設けると共に、該側片の側端部を外方へ曲折して構成したことを特徴とする収納容器。
【発明の詳細な説明】
【技術分野】
【０００１】
本願発明は結束補助具及び収納容器に関し、詳しくは、新聞、雑誌等の結束を容易とする結束補助台及び新聞、雑誌等を収納したまま容易に結束可能な収納容器に関する。
【背景技術】
【０００２】
従来から新聞や雑誌等の古紙は適宜折畳まれて収納容器や収納袋等に重ねて収納されており、結束する際には収納容器から取出し、或いは収納袋と共に結束していた。この結束作業は、例えば床に紐を敷き、その上に重ねた古紙を置き、紐を古紙に巻き、古紙の束を倒し、或いはひっくり返して紐を十字がけにして結んで行っていた。
【０００３】
しかし、収納容器からの取出し作業は容易ではなく、又、古紙の束を崩れないように倒し、或いはひっくり返すのも容易ではなく、この作業は煩雑であった。
【０００４】
そこで、結束する古新聞その他の被結束物を収納したまま結束可能とする新聞等の収納容器が提案されている。このような収納容器として、底面台の面上に十文字上に交差するガイド（溝）を設けると共に、該ガイドの上方部を避けて底面台に直立する側板を設けた新聞ストッカーがある（特許文献１参照。）。
【０００５】
又、台上に結束紐が縦巾の中央及び横巾の中央に移動しやすい様、並びに結束する物を結束台に置いた時安定するよう、同じ高さの筒又は棒状を設けたものがある（特許文献２参照。）。
【０００６】
しかし、これらの従来技術は、紐を古紙の下を二回通す必要があり、しかもその紐を通す作業は容易ではないために、その作業が煩雑であった。
【０００７】
【特許文献１】特開２００３−１６０１０５号公報
【特許文献２】特開２００２−１７９０１７号公報
【発明の開示】
【発明が解決しようとする課題】
【０００８】
そこで、本願発明は上記課題を解決し、新聞紙や雑誌等の古紙その他の被結束物を重ねて結束する作業を煩雑でなく、極めて容易とすることを目的とする。
【課題を解決するための手段】
【０００９】
上記課題を解決するための手段としての本願発明は、台部に少なくとも上端部が凸状の曲面に形成された支持突起を複数植立させたことを特徴とする結束補助台である。
【００１０】
更に、上記結束補助台において、平面四角形状の台部の上面の少なくとも四隅部に前記支持突起を植立させたことを特徴とする結束補助台である。
【００１１】
更に、上記結束補助台において、平面四角形状の台部の上面の対角線上の二隅部に前記支持突起を植立させ、他の二隅部には夫々前記支持突起、上面平面状の支持突起又は支持台のうちいずれかを設けることを特徴とする結束補助台である。
【００１２】
更に、上記結束補助台において、平面四角形状の台部の上面を台部の対向する側辺の中心を結ぶ二本の線により四区画に区分し、該二本の線の交点を中心として対向する方形の二区画内に、前記支持突起を少なくとも台部の角隅部に１本づつ植立させ、他の二区画内の四隅部に夫々支持突起を４本づつ植立させたことを特徴とする結束補助台である。
【００１３】
更に、上記結束補助台において、平面四角形状の台部の上面を台部の対向する側辺の中心を結ぶ二本の線により四区画に区分し、該二本の線の交点を中心として対向する方形の二区画内に、前記支持突起を少なくとも台部の角隅部に１本づつ植立させ、他の二区画内に夫々前記支持突起と同一高の支持台又は上面平面状の支持突起を設けたことを特徴とする結束補助台である。
【００１４】
更に、上記結束補助台において、支持突起は人の手の甲の厚み以上の高さとしたことを特徴とする結束補助台である。
【００１５】
更に、上記結束補助台において、台部には台部の対向する一対の側辺の中心を結ぶ溝を設けたことを特徴とする結束補助台である。
【００１６】
又、上記結束補助台の前記二本の線の交点を中心として対向する方形の二区画の外周端から横断面Ｌ字状の側壁を植立させて構成したことを特徴とする収納容器である。
【００１７】
又、上記結束補助台の外周端から一対の横断面Ｌ字状の側壁を植立させ、側壁の側片の下端部に切欠部を設けると共に、該側片の側端部を外方へ曲折して構成したことを特徴とする収納容器である。
【発明の効果】
【００１８】
以上のような本願発明によれば、支持突起は上端部が凸状の曲面であるので、被結束物との接面積が極めてせまいので、被結束物を持ち上げることなく極めて容易に紐を被結束物と支持突起の間を摺接移動させることが可能であり、紐を被結束物の下に通すという極めて煩雑かつ困難な作業を１回のみ行えばよく、しかも容易に行えるので、新聞紙や雑誌等の古紙その他の被結束物を重ねて結束する作業が煩雑でなく、極めて容易とすることが可能となった。
【発明を実施するための最良の形態】
【００１９】
以下本発明を図に従って詳細に説明する。新聞紙や雑誌等の古紙その他の被結束物９を収納したまま容易に結束可能な収納容器１０は結束補助台１と側壁４，４を備えて構成され、結束補助台１は台部２と支持突起３，３…を備えて構成されている。
【００２０】
台部２は平面四角形状の平板を用い、該台部２上面２１上に同じ高さの支持突起３，３…が設けられ、収納容器１０に収納された被結束物９は支持突起３，３…により支持される。台部２上面２１を台部２の対向する側辺の中心を結ぶ想像上の二本の線５１，５２により四区画２２，２３，２４，２５に区分する。後述するように二区画２２，２４では紐７がその面上で移動し、二区画２３，２５では紐７がその面上で移動しない。台部２は円形等の形状としてもよく、この場合円の中心で直角に交叉する線で四区画に区分する。
【００２１】
支持突起３，３…は、線５１，５２の交点を中心として対向する方形の二区画２２，２４内の台部２の角隅部に、夫々紐７がその上端を摺接して移動する支持突起３０を１本づつ植立させ、線５１，５２の交点を中心として対向する方形の他の二区画２３，２５内の四隅部に夫々支持突起３を４本づつ植立させている。
【００２２】
尚、紐７がその面上で移動する区画２２，２４上には支持突起３（３０）を１本のみ設けることが紐７の移動が容易で望ましいが、２本以上設けることとしてもよく、区画２３，２５内に設ける支持突起３は４本に限定されず、載置する古新聞等の被結束物９を支持可能な適宜の本数を設けることとしてもよい。具体的には、支持突起３を区画２３，２５内の台部２の角隅部に１本づつ、更に加えて線５１，５２の交点角隅部に１本づつ設ける等することが出来る。
【００２３】
支持突起３は上端部が半球状に形成された円錐状に形成している。勿論この形状に限定されず、少なくとも上端部が凸状の曲面に形成されていばよく、上端部が半球状に形成された円柱、角柱、上端部に向かって縮径する角錐状又は円形、半円形等とすることとしてもよい。支持突起３の上端部が凸状の曲面に形成されていることにより、支持突起３，３…上に載積される被結束物９との接面積が極めてせまいので、被結束物９を持ち上げることなく極めて容易に紐７を被結束物９と支持突起３０の間を摺接移動させることが可能となる。
【００２４】
更に、支持突起３は図８に示すように、円柱を縦方向に切断した部材３１或いは円柱を横臥させて形成し、又は少なくとも上端部の縦断面を半円形に形成したかまぼこ型に形成し、その上端部を曲面状に形成することとしてもよい。この場合紐７の円滑な摺接移動のために紐７の移動方向に対して略直角に支持突起３の半円形の縦断面が位置するように支持突起３０を設置することが望ましい。
【００２５】
又、支持突起３，３…は、紐７がその上端を摺接して移動する支持突起３０，３０のみ上述のような上端部が凸状の曲面に形成し、紐７がその上端を摺動しない区画２３，２５内に設ける他の支持突起３，３…は上端を平面状としてもよい。更に、図６に示すように紐７がその面上で移動しない区画２３，２５内には支持突起３，３…を設けるのではなく、支持突起３０と同一高の上面平坦の厚板状の支持台８を設けることとしてもよい。この場合古新聞等の被結束物９は支持台８，８及び支持突起３，３で支持されている。
【００２６】
支持突起３及び支持台８の高さは特に限定されないが、紐７を被結束物９の下部に通しやすくするために、人の手の厚み以上の高さとすることが好ましい。
【００２７】
側壁４は被結束物９が積層された際に崩れを防止し、安定した積層、整列された積層を可能とするためのものであり、横断面Ｌ字状の適宜高さに形成し、紐７がその面上で移動しない区画２３，２５の外周端から植立させている。そして、台部２及び側壁４，４で被結束物９を収納する収納部１４を形成している。
【００２８】
又、側壁４の側片４９，４９は区画２３，２５の外周辺と同幅とせずに、それ以上或いはそれ以下の適宜の幅としてもよい。側壁４の側片４９を区画２３，２５の外周辺の長さ以上の幅とすることにより、被結束物９のより整列された積層、安定した積層を可能となる。このような構成とした場合、側壁４と被結束物９間に紐７を通すことが必要となるので、紐７の円滑な移動のために、区画２３，２５の外周辺以上の幅に形成した側片４９の下端部に切欠部４２を設けると共に、該側片４９の側端部４１を外方へ曲折して構成することが望ましい。
【００２９】
尚、図５及び７に示すように、側壁４，４を設けずに結束補助台１のみの構成として使用することも可能である。結束補助台１のみの構成とすることにより結束する被結束物９の大きさが限定されることがない。
【００３０】
収納容器１０或いはその部材である台部２、支持突起３、側壁４及び支持台８の製造方法、材質は特に限定されず、合成樹脂を用いて一体成形してもよく、厚紙、木材、合成樹脂、軽金属等を用いて各部材を形成して接着、溶接、溶着等により組立ててもよい。台部２、支持突起３、側壁４及び支持台８の材質は同一のもでもよいが、適宜異なるものを用いてもよい。
【００３１】
又、図９に示す展開図のようなアルミニウム等の金属、厚紙或いは合成樹脂等の平板を形成し、破線部を適宜曲折し、支持台８，８及び支持突起３，３を設けることにより、図８に示す収納容器１０を形成することが出来る。図９に於ける符号は図８に示す収納容器１０に組立てた場合の符号に対応させたものである。図８に示す収納容器１０は台部２を適宜高に形成し、台部２の対向する一対の側辺の中心を結ぶように上面２１から下方へ拡幅する溝１００を設けている。溝１００は紐７を被結束物９の下部に通しやすくするためのものであり、その大きさに限定はないが、人の手が挿入可能な程度とすることが好ましい。このような溝１００を設けた場合には支持突起３及び支持台８は人の手の厚み以下の高さとしてもよい。溝１００の底面１０１と台部２の下端から水平方向外側へ突出した脚部１５，１５…により収納容器１０を安定的に支持している。
【００３２】
又、側壁４の溝１００と平行の一側片４９は台部２の幅と略同幅として、被結束物９のより整列された積層、安定した積層を可能としている。そして、側壁４と被結束物９間に紐７を通すことが必要となるので、紐７の円滑な移動のために側壁４の溝１００と平行の一側片４９の下端部に切欠部４２を設けると共に、該一側片４９の側端部４１を外方へ曲折して構成している。
【００３３】
次に、本発明の使用、作用について説明する。先ず収納容器１０の収納部１４に被結束物９を積層し、側壁４の上端程度まで積層された時点で積層を止め、結束作業に入る。結束作業は図２に示すように、紐７を輪状にして台部２の対向する側辺間に渡す。このように紐７を被結束物９の下に通すという極めて煩雑かつ困難な作業は１回のみ行えばよく、加えて支持突起３，３…の高さを人の甲の厚み以上としている場合、或いは溝１００を設けている場合には極めて容易に紐７を通すことが可能である。
【００３４】
次に、図２の矢印及び二点鎖線で示すように、紐７の支持突起３０に近い部位を、区画２２，２４の面上で移動させ、図２においては図示しない被結束物９と支持突起３０の間を摺接移動させ、支持突起３０を跨がせる。支持突起３０は上端部が凸状の曲面であるので、被結束物９との接面積が極めてせまいので、被結束物９を持ち上げることなく極めて容易に紐７を被結束物９と支持突起３０の間を摺接移動させることが可能である。紐７は区画２３，２５の面上では移動しない。又、紐７の輪状部分を被結束物９の上部まで引き上げる。
【００３５】
このような作業により紐７は図３に示すように、被結束物９の下で十字状になる。次に紐７の輪状でない一端を輪状部に通し、他の輪状でない端部と結ぶ。この一連の作業により、図４に示すように、被結束物９を収納容器１０から取り出すことなく、結束することが出来る。
【図面の簡単な説明】
【００３６】
【図１】本発明収納容器の第一の実施例部分破断斜視図
【図２】本発明収納容器の第一の実施例使用状態図
【図３】本発明収納容器の第一の実施例使用状態図
【図４】本発明収納容器の第一の実施例使用状態図
【図５】本発明結束補助台第一の実施例斜視図
【図６】本発明収納容器の第二の実施例斜視図
【図７】本発明結束補助台第二の実施例斜視図
【図８】本発明収納容器の第３の実施例斜視図
【図９】本発明収納容器の第３の実施例展開図
【符号の説明】
【００３７】
１      結束補助台
２      台部
３      支持突起
３０    支持突起
４      側壁
４９    側片
７      紐
８      支持台
９      被結束物
１０    収納容器
１４    収納部
１００  溝
【図１】
2006306481.tif 000003
【図２】
2006306481.tif 000004
【図３】
2006306481.tif 000005
【図４】
2006306481.tif 000006
【図５】
2006306481.tif 000007
【図６】
2006306481.tif 000008
【図７】
2006306481.tif 000009
【図８】
2006306481.tif 000010
【図９】
2006306481.tif 000011